【手続補正書】
【提出日】平成20年5月26日(2008.5.26)
【手続補正１】
【補正対象書類名】特許請求の範囲
【補正対象項目名】全文
【補正方法】変更
【補正の内容】
【特許請求の範囲】
【請求項１】
第１のバッテリとこれより出力電圧の高い第２のバッテリと、前記第２のバッテリの放電時に降圧、充電時に昇圧して前記第２のバッテリの電圧と前記第１のバッテリの電圧とを調整する電圧調整装置とを搭載し、前記第１のバッテリ電圧が第１の基準値以上でかつ所定のエコラン用エンジン停止条件の成立時にエンジンを停止させるエコラン用エンジン停止手段と、所定のエンジン始動条件が成立するとエンジンを始動させる自動エンジン始動手段とを備えるエンジン自動停止始動制御装置において、
前記所定のエコラン用エンジン停止条件の成立時に、前記第１と第２のバッテリの出力電流及び電圧を検出するセンサと、
前記所定のエコラン用エンジン自動停止条件が成立時に、前記第１のバッテリ電圧が前記第１の基準値未満であっても、前記第２のバッテリの電圧が所定値以上であれば、前記エコラン用エンジン停止手段にエンジン停止を許可するエンジン停止許可手段とを設けたことを特徴とするエンジン自動停止始動制御装置。
【請求項２】
第１のバッテリとこれより出力電圧の高い第２のバッテリと、前記第２のバッテリの放電時に降圧、充電時に昇圧して前記第２のバッテリの電圧と前記第１のバッテリの電圧とを調整する電圧調整装置とを搭載し、前記第１のバッテリ電圧が第１の基準値以上でかつ所定のエコラン用エンジン停止条件の成立時にエンジンを停止させるエコラン用エンジン停止手段と、所定のエンジン始動条件が成立するとエンジンを始動させる自動エンジン始動手段とを備え、車両に搭載された電気負荷である補機には、前記エンジンの稼動時には前記第１のバッテリから電力を供給し、前記エンジンの停止時には前記第２のバッテリから電力を供給するエンジン自動停止始動制御装置において、
前記所定のエコラン用エンジン停止条件の成立時に、前記第１と第２のバッテリの出力電流及び電圧を検出するセンサと、
検出した前記第１と第２のバッテリの出力電流及び電圧から、前記補機の駆動による電気負荷状況を検出する電気負荷状況検出手段と、
前記所定のエコラン用エンジン自動停止条件が成立時に、前記第１のバッテリ電圧が前記第１の基準値未満であっても、前記第２のバッテリの電圧が所定値以上であり、且つ前記補機の駆動による電気負荷状況が高負荷以外であれば、前記エコラン用エンジン停止手段にエンジン停止を許可するエンジン停止許可手段とを設けたことを特徴とするエンジン自動停止始動制御装置。
【請求項３】
請求項２に記載のエンジン自動停止始動制御装置において、
前記第１のバッテリの出力電流を検出するセンサに代えて、前記補機に入力される電流を検出するセンサを設け、
前記第１のバッテリからの出力電流を、検出した前記補機への入力電流と前記第２のバッテリの出力電流の差から演算により求め、前記電気負荷状況検出手段が前記補機に入力される電流から、前記補機の駆動による電気負荷状況を検出することを特徴とするエンジン自動停止始動制御装置。
【請求項４】
請求項２又は３に記載のエンジン自動停止始動制御装置において、
前記エコラン用エンジン停止手段による前記エンジンの停止後に、前記エンジン停止許可手段は、前記第２のバッテリの電圧が所定値より小さい第２の基準値より大きく、且つ前記補機の駆動による電気負荷状況が高負荷以外であるという条件の、少なくとも一方が満たされなくなった時には、前記エコラン用エンジン停止手段へのエンジン停止許可を取り下げ、自動エンジン始動手段が前記エンジンを始動させることを特徴とするエンジン自動停止始動制御装置。
【請求項５】
請求項４に記載のエンジン自動停止始動制御装置において、
前記エンジン停止許可手段は、前記電気負荷状況が高負荷になったことの判定を、前記第１のバッテリからの前記補機への電力供給があったことによって判断することを特徴とするエンジン自動停止始動制御装置。
【請求項６】
請求項５に記載のエンジン自動停止始動制御装置において、
前記エコラン用エンジン停止手段による前記エンジンの停止直後の前記第１のバッテリの電圧を記憶する手段と、その後の前記第１のバッテリからの出力電流を検出する手段と、この出力電流により前記第１のバッテリから出力された電流の積算値を演算する手段とを備え、
前記エンジン停止許可手段は、前記第１のバッテリからの前記補機への電力供給があったことを、前記第１のバッテリの記憶電圧値とその後の前記第１のバッテリの電圧値との差電圧が、第３の基準値以上となったこと、及び前記第１のバッテリからの電流の出力積算値が、基準値以上となったことの少なくとも一方の成立によって判断することを特徴とするエンジン自動停止始動制御装置。
【請求項７】
請求項２又は３に記載のエンジン自動停止始動制御装置において、
前記エンジン停止許可手段は、前記エコラン用エンジン停止手段にエンジン停止の許可を送信する前に、前記電圧調整装置に前記降圧動作を行わせると共に、前記エンジンに搭載されたバッテリ充電用の発電機の動作を停止させて擬似エコラン用エンジン停止状態を作り出し、
前記エンジン停止許可手段はこの擬似エンジン停止状態において前記電気負荷状況が高負荷であるか否かが判定され、高負荷と判定した場合には、前記エコラン用エンジン停止手段へのエンジン停止の許可の送信を取り下げることを特徴とするエンジン自動停止始動制御装置。
【請求項８】
請求項２又は３に記載のエンジン自動停止始動制御装置において、
前記第１のバッテリの出力端子と前記発電機及び補機とを結ぶ回路の途中に第１のスイッチング素子を設けると共に、所定の抵抗値を備えた第２のスイッチング素子を介して前記第２のバッテリの出力端子と前記発電機及び補機とを接続し、
前記エコラン用エンジン停止手段による前記エンジンの停止後に、前記電圧調整装置の動作を停止すると共に、前記第１のスイッチング素子をオフ状態、前記第２のスイッチング素子をオン状態とすることを特徴とするエンジン自動停止始動制御装置。
【請求項９】
第１及び第２のバッテリと、前記第１と第２のバッテリの出力電流及び電圧を検出するセンサとを搭載する車両に設けられ、前記第１のバッテリ電圧が第１の基準値以上でかつ所定のエコラン用エンジン停止条件の成立時にエンジンを停止させるエコラン用エンジン停止制御手段と、所定のエンジン始動条件が成立するとエンジンを始動させる自動エンジン始動制御手段とを備えるエンジン自動停止始動制御装置において、
前記所定のエコラン用エンジン停止条件の成立時に、前記第１と第２のバッテリの出力電流及び電圧を検出し、前記第１のバッテリ電圧が前記第１の基準値未満であっても、前記第２のバッテリの電圧が所定値以上であれば、前記エコラン用エンジン停止制御手段にエンジン停止を許可するエンジン停止許可手段とを設けたことを特徴とするエンジン自動停止始動制御装置。
【請求項１０】
第１及び第２のバッテリと、前記第１のバッテリ電圧が第１の基準値以上でかつ所定のエコラン用エンジン停止条件の成立時にエンジンを停止させ、所定のエンジン始動条件が成立するとエンジンを始動させるエンジンの自動停止始動制御方法において、
前記所定のエコラン用エンジン停止条件の成立時に、前記第１と第２のバッテリの出力電流及び電圧を検出するステップと、
前記所定のエコラン用エンジン自動停止条件が成立時に、前記第１のバッテリ電圧が前記第１の基準値未満であっても、前記第２のバッテリの電圧が所定値以上であれば、エンジン停止を許可するステップを設けたことを特徴とするエンジン自動停止始動制御方法。
【手続補正２】
【補正対象書類名】明細書
【補正対象項目名】発明の名称
【補正方法】変更
【補正の内容】
【発明の名称】エンジン自動停止始動制御装置及び制御方法
【手続補正３】
【補正対象書類名】明細書
【補正対象項目名】０００１
【補正方法】変更
【補正の内容】
【０００１】
本発明はエンジン自動停止始動制御装置及び制御方法に関し、特に、鉛蓄電池に加えてリチウムイオン電池を搭載した２電源方式のエンジンを搭載した車両において、燃費の向上のために２つの種類の異なる電池をエンジンの運転時とエンジンの一時停止時に応じて使い分けるようにしたエンジン自動停止始動制御装置及び制御方法に関する。
【手続補正４】
【補正対象書類名】明細書
【補正対象項目名】００１０
【補正方法】変更
【補正の内容】
【００１０】
そこで、本発明は、エコラン用エンジン停止を行う条件が整った状態において、主バッテリの電圧が基準値よりも低い場合であっても、車両に搭載された電気負荷の状況や車両の運転状況を検出することにより、できる限りエコラン用エンジン停止を実行することにより、燃費の向上を図ることができるエンジン自動停止始動制御装置及び制御方法を提供することを目的としている。
【手続補正５】
【補正対象書類名】明細書
【補正対象項目名】００１１
【補正方法】変更
【補正の内容】
【００１１】
前記目的を達成する本発明のエンジン自動停止始動制御装置には、以下の９つの形態が可能である。
第１の形態は、第１のバッテリとこれより出力電圧の高い第２のバッテリと、第２のバッテリの放電時に降圧、充電時に昇圧して第２のバッテリの電圧と第１のバッテリの電圧とを調整する電圧調整装置とを搭載し、第１のバッテリ電圧が第１の基準値以上でかつ所定のエコラン用エンジン停止条件の成立時にエンジンを停止させるエコラン用エンジン停止手段と、所定のエンジン始動条件が成立するとエンジンを始動させる自動エンジン始動手段とを備えるエンジン自動停止始動制御装置において、所定のエコラン用エンジン停止条件の成立時に、第１と第２のバッテリの出力電流及び電圧を検出するセンサと、所定のエコラン用エンジン自動停止条件が成立時に、第１のバッテリ電圧が第１の基準値未満であっても、第２のバッテリの電圧が所定値以上であれば、エコラン用エンジン停止手段にエンジン停止を許可するエンジン停止許可手段とを設けたことを特徴としている。
【手続補正６】
【補正対象書類名】明細書
【補正対象項目名】００１８
【補正方法】変更
【補正の内容】
【００１８】
第８の形態は、第２又は３の形態において、第１のバッテリの出力端子と発電機及び補機とを結ぶ回路の途中に第１のスイッチング素子を設けると共に、所定の抵抗値を備えた第２のスイッチング素子を介して第２のバッテリの出力端子と発電機及び補機とを接続し、エコラン用エンジン停止手段によるエンジンの停止後に、電圧調整装置の動作を停止すると共に、第１のスイッチング素子をオフ状態、第２のスイッチング素子をオン状態とすることを特徴としている。
【手続補正７】
【補正対象書類名】明細書
【補正対象項目名】００１９
【補正方法】変更
【補正の内容】
【００１９】
第９の形態は、第１及び第２のバッテリと、第１と第２のバッテリの出力電流及び電圧を検出するセンサとを搭載する車両に設けられ、第１のバッテリ電圧が第１の基準値以上でかつ所定のエコラン用エンジン停止条件の成立時にエンジンを停止させるエコラン用エンジン停止制御手段と、所定のエンジン始動条件が成立するとエンジンを始動させる自動エンジン始動制御手段とを備えるエンジン自動停止始動制御装置において、所定のエコラン用エンジン停止条件の成立時に、第１と第２のバッテリの出力電流及び電圧を検出し、第１のバッテリ電圧が第１の基準値未満であっても、第２のバッテリの電圧が所定値以上であれば、エコラン用エンジン停止制御手段にエンジン停止を許可するエンジン停止許可手段とを設けたことを特徴としている。
【手続補正８】
【補正対象書類名】明細書
【補正対象項目名】００２０
【補正方法】変更
【補正の内容】
【００２０】
また、第１及び第２のバッテリと、第１のバッテリ電圧が第１の基準値以上でかつ所定のエコラン用エンジン停止条件の成立時にエンジンを停止させ、所定のエンジン始動条件が成立するとエンジンを始動させるエンジンの自動停止始動制御方法であって、所定のエコラン用エンジン停止条件の成立時に、第１と第２のバッテリの出力電流及び電圧を検出するステップと、所定のエコラン用エンジン自動停止条件が成立時に、第１のバッテリ電圧が第１の基準値未満であっても、第２のバッテリの電圧が所定値以上であれば、エンジン停止を許可するステップを設けたことを特徴とするエンジン自動停止始動制御方法が可能である。
【手続補正９】
【補正対象書類名】明細書
【補正対象項目名】００２１
【補正方法】削除
【補正の内容】
【手続補正１０】
【補正対象書類名】明細書
【補正対象項目名】００２２
【補正方法】削除
【補正の内容】
【手続補正１１】
【補正対象書類名】明細書
【補正対象項目名】００２３
【補正方法】削除
【補正の内容】
【手続補正１２】
【補正対象書類名】明細書
【補正対象項目名】００２４
【補正方法】削除
【補正の内容】
【手続補正１３】
【補正対象書類名】明細書
【補正対象項目名】００２５
【補正方法】削除
【補正の内容】
【手続補正１４】
【補正対象書類名】明細書
【補正対象項目名】００２６
【補正方法】削除
【補正の内容】
【手続補正１５】
【補正対象書類名】明細書
【補正対象項目名】００２７
【補正方法】削除
【補正の内容】
【手続補正１６】
【補正対象書類名】明細書
【補正対象項目名】００２８
【補正方法】削除
【補正の内容】
【手続補正１７】
【補正対象書類名】明細書
【補正対象項目名】００２９
【補正方法】削除
【補正の内容】
【手続補正１８】
【補正対象書類名】明細書
【補正対象項目名】００３０
【補正方法】削除
【補正の内容】